(57)【要約】【課題】  強い衝撃があった場合でも、他機器に接続されたホースが暴れることなく、漏水の危険も無い分岐口付水栓を提供することを目的とする。【解決手段】  水側配管に接続される水側流路、湯側配管に接続される湯側流路及び湯水混合流路を有する本体部と、湯水を吐水するスパウトを有し、前記本体部は水側流路或いは湯側流路に連通する分岐流路を有し、かつ他機器へ水を分岐する分岐口及び前記分岐口に接続する分岐部材を有する分岐口付水栓であって、前記分岐口に連通する前記分岐流路を、対向する位置に２箇所開設し、前記分岐部材を接続しない側の分岐口を塞蓋で閉塞することを特徴とする分岐口付水栓。【選択図】  図４
2005133451.tif 000002
【特許請求の範囲】
【請求項１】
水側配管に接続される水側流路、湯側配管に接続される湯側流路及び湯水混合流路を有する本体部と、湯水を吐水するスパウトを有し、前記本体部は水側流路或いは湯側流路に連通する分岐流路を有し、かつ他機器へ分岐する分岐口及び前記分岐口に接続する分岐部材を有する分岐口付水栓であって、
前記分岐口に連通する前記分岐流路を、対向する位置に２箇所開設し、前記分岐部材を接続しない側の分岐口を塞蓋で閉塞することを特徴とする分岐口付水栓。
【請求項２】
前記本体部は円筒形状のカバーで被嵌され、前記カバーの内径は、前記本体部外径と略同径で前記本体部に対し回転可能であり、かつ前記カバーは一方の分岐口に塞蓋を内嵌する開口を１箇所開設し、塞蓋を内嵌したのち、他方の分岐口まで回転させることを特徴とする請求項１に記載の分岐口付水栓
【請求項３】
前記分岐部材はスパウトの上部あるいは下部の何れかに設置可能なことを特徴とする請求項１、２いずれかに記載の分岐口付水栓。
【請求項４】
水側配管或いは湯側配管に接続される水側流路或いは湯側配管を有する本体部と、水或いは湯を吐水するスパウトを有し、前記本体部は水側流路或いは湯側流路に連通する分岐流路を有し、かつ他機器へ分岐する分岐口及び前記分岐口に接続する分岐部材を有する分岐口付水栓であって、
前記分岐口に連通する前記分岐流路を、対向する位置に２箇所開設し、前記分岐部材を接続しない側の分岐口を塞蓋で閉塞することを特徴とする分岐口付水栓。
【発明の詳細な説明】
【技術分野】
【０００１】
本発明は、キッチン、台所、洗面所のカウンター上に設置され、アルカリイオン生成器や食器洗浄器に接続するための分岐口付水栓に関するものである。
【背景技術】
【０００２】
従来技術としては、既に特開平２００２−４３６３号公報（特許文献１）に開示されているものがある。その構成は、図６に示すように、給湯管５０に接続される湯流路５１及び給水配管５２に接続される水流路５３を有する水栓本体５４と、湯流路５１からの湯及び水流路５３からの水を混合した混合水を吐水する吐水管５５を有し、水栓本体５４に対して回動自在に組み付けられたハブ５６と、湯流路５１に連通した湯分岐口５７を有し、水栓本体５４に対して回動自在に組み付けられたハブ５８と、を備えた分岐口付き水栓５９のハブ５６をハブ５８よりも上方に組み付けた分岐口付き水栓が開示されている。
さらに、特許文献１においては、ハブ５８の回動抵抗が、ハブ５６の回動抵抗よりも大きくしていることにも特徴を有するのである。
【０００３】
すなわち、このように構成することで、湯分岐口５７やこれに接続されたホースに種々の物品が触れたとしても、ハブ５８の回動抵抗が、ハブ５６の回動抵抗よりも大きくしているため、ハブ５８に備えられた湯分岐口５７が容易には回動せず、使用者は、思わぬ場所に位置していた湯分岐口５７に触れてしまい火傷するといった問題を解決している。
【０００４】
【特許文献１】特開２００２−４３６３号公報
【発明の開示】
【発明が解決しようとする課題】
【０００５】
しかしながら、従来技術においては、依然として強い衝撃が要因となり湯分岐口５７が回動する可能性があり、結果、湯分岐口５７に接続された他機器のホースが暴れるという危険がある。また、ハブ５８は回動部材でもあるため、シール部が破損し、漏水に至るという危険も否めない、といった課題を有していた。
そこで、本発明では上記の問題点を解決するため、強い衝撃があった場合でも、他機器に接続されたホースが暴れることなく、漏水の危険も無い分岐口付水栓を提供することを目的とする。
【課題を解決するための手段】
【０００６】
本発明の請求項１では、水側配管に接続される水側流路、湯側配管に接続される湯側流路及び湯水混合流路を有する本体部と、湯水を吐水するスパウトを有し、前記本体部は水側流路或いは湯側流路に連通する分岐流路を有し、かつ他機器へ水を分岐する分岐口及び前記分岐口に接続する分岐部材を有する分岐口付水栓であって、
前記分岐口に連通する前記分岐流路を、対向する位置に２箇所開設し、前記分岐部材を接続しない側の分岐口を塞蓋で閉塞する構成とした。
これにより、仮に湯側の分岐口から分岐部材を介して食器洗浄器を接続した場合であっても、左右どちらにでも設置することが可能となる。また、分岐部材が左右の何れかに固定され、分岐部材が回動しないため、他機器のホースが暴れることもない。
また、本体部には摺動部が無いため、経年変化による漏水の危険も無い。
【０００７】
本発明の請求項２では、前記本体部は円筒形状のカバーで被嵌され、前記カバーの内径は、前記本体部外径と略同径で前記本体部に対し回転可能であり、かつ前記カバーは一方の分岐口に塞蓋を内嵌する開口を１箇所開設し、塞蓋を内嵌したのち、他方の分岐口まで回転させるように構成した。
これにより、使用しない側の分岐口をカバーで見えなくすることが可能になるため、水栓自体の意匠性が向上すると共に、誤って塞蓋を取り外してしまい、漏水するという危険も無くなる。
【０００８】
本発明の請求項３では、該分岐部材はスパウトの上部あるいは下部の何れかに設置可能となるように構成した。
これにより、例えば、使用する他機器との接続位置が水栓に対し、上方にある場合であれば分岐部材をスパウトの上方に、仮に下方であれば分岐部材をスパウトの下方に、と適宜変更することが可能であるので、キッチン空間を有効に活用することが可能となる。
【０００９】
本発明の請求項４では、水側配管或いは湯側配管に接続される水側流路或いは湯側配管を有する本体部と、水或いは湯を吐水するスパウトを有し、前記本体部は水側流路或いは湯側流路に連通する分岐流路を有し、かつ他機器へ分岐する分岐口及び前記分岐口に接続する分岐部材を有する分岐口付水栓であって、
前記分岐口に連通する前記分岐流路を、対向する位置に２箇所開設し、前記分岐部材を接続しない側の分岐口を塞蓋で閉塞するように構成した。
【００１０】
これにより、使用するキッチンに設置された水或いは湯を吐水する単水栓の位置により適宜、他機器を左右どちらにでも設置することが可能になり、分岐部材が回動しないため、他機器のホースが暴れることもない。
また、本体部には摺動部が無いため、経年変化による漏水の危険も無いのである。
【発明の効果】
【００１１】
水栓本体に接続された分岐部材に強い衝撃があった場合でも、他機器に接続されたホースが暴れることなく、漏水の危険も無い分岐口付水栓を提供することが可能となる。
【発明を実施するための最良の形態】
【００１２】
以下に図面を参照して本発明をより具体的に説明する。
図１は本件発明の一実施の形態である外観斜視図である。図１において、水栓は湯水混合水栓を示している。つまり、水栓本体１は湯水を吐水するスパウト２に連接された回動部材３と、回動部材３の上部にカートリッジ押えカバー４、後述するカートリッジ２９の操作軸３０に接続されたハンドル５、本体部１３に連通連接された分岐部材６を水栓本体１の下部に備えている。さらに、スパウト２の先端部分には湯水を吐水するための吐水口７を備えている。
【００１３】
水栓本体１の下部にはカバー８が外嵌されており、カバー８前面には水栓本体１を固定するためのねじ２５を隠すためのキャップ９が内嵌されている。
さらに、分岐部材６は、他機器への吐水を操作する開閉ハンドル１０及びカプラーユニット１１を備え、カプラーユニット１１の先端部分には止水弁１２を備える構造となっている。
【００１４】
図２は本件発明の一実施の形態である単水栓の場合の分岐継手部分の横断面図である。
本体部１３内には水側配管に連通した水側流路１４が構成され、本体部１３上部には図示しない弁体および弁体を操作し、水の吐水量を操作するハンドルが具備されている。
図２を用い、本発明の分岐構造を説明する。本体部１３内には水側流路１４が構成され、その水側流路１４と直行するよう分岐流路２６が設けられている。図２で示す例においては、左右方向に分岐流路２６が設けられていることになる。つまり、他機器へ接続する方向が水栓本体１の左側であれば、図２のように左側の分岐口１７にシール材３５を介し、分岐継手１５を螺合することになる。すなわち、他方の分岐口１７にはシール材３６を介し塞蓋１６を内嵌し、本体部１３はカバー８を外嵌するよう構成されている。
【００１５】
次に、本体部１３に設けられた分岐流路２６とカバー８との取り合いについて、簡単に説明する。カバー８の側部には分岐流路２６の開口に対応する部分に、その開口より大径の開口部１８が設けられている。使用者は分岐継手１５の設置方向を決めた後、カバー８の開口部１８を使用しない分岐口１７に合わせる。次に雄ねじを有する塞蓋１６をシール材３６を介し分岐口１７に螺合した後、カバー８を回転させ、他方の分岐口１７に合わせ先端に雄ねじを有する分岐継手１５をシール材３５を介し螺合するのである。塞蓋１６には分岐流路１６との水密性を向上させるために表面にドライバーを用い、強固に装着させるための溝を加工している。ここでシール材３５、３６はＯリングを用いているが、水密性を保つものであれば特にＯリングに限定する必要はない。
従って、使用者が他機器を水栓本体１の右側に設置する場合は、右側の分岐口１７を使用し、他方の分岐口１７は塞蓋１６を用いて閉塞すれば良いことになる。しかも、本体部１３は摺動せず、固定されているため、経年変化によりシール部が劣化するようなことが無いため、シール部から漏水する危険がないのである。
さらに、カバー８に設けた開口部１８に分岐継手１５を螺合するように構成したことでカバー８の開口部１８が見えなくなるため、水栓本体１の意匠性が向上すると共に、誤って塞蓋を取り外してしまい、漏水するという危険も無い。
【００１６】
図２においては、水を吐水する単水栓を説明したが、湯を吐水する単水栓においても実施することができる。その際は、上記図２の説明において、水側配管が湯側配管となり、水側流路１４が湯側流路と置き換わる。
【００１７】
図２においては、他機器として、食器洗浄機、浄水器、アルカリイオン生成器等に接続される。単水栓が水側配管に接続されている場合、分岐部材６のカプラーユニット１１は、食器洗浄機、浄水器、アルカリイオン生成器等に接続される。また、単水栓が湯側配管に接続されている場合、単水栓に流入する湯は、あらかじめ温度調節ユニットにて温度制御された湯が単水栓に流入し、分岐部材６のカプラーユニット１１は、食器洗浄機、浄水器等に接続される。
【００１８】
図３は本件発明の分岐部材の縦断面図である。
分岐部材６は公知の技術を採用したものであり、分岐部材６の基部には袋ナット１９を備え、この袋ナット１９の雌ねじと分岐継手１５の雄ねじとを締結することで水栓本体１が分岐部材６を備えることができるのである。
分岐部材６はシリンダバルブを有する止水栓を具備し、その上部に分岐した水を吐水及び止水する開閉ハンドル１０を備えている。つまり、図示しない他機器へ水を供給する場合は、開閉ハンドル１０を「開」の状態にしておき、止水する場合は開閉ハンドル１０を「閉」の状態にしておくのである。
【００１９】
さらに、分岐部材６の先端部分にはカプラーユニット１１を連接している。カプラーユニット１１の先端部には止水弁１２を備えており、図示しない他機器と接続していない場合、止水弁１２はばね２１により付勢され、カプラーユニット１１は止水状態にある。一方、他機器と接続される場合、止水弁１２が図示しない接続部に当接し、カプラーユニット１１の奥側に押圧され、通水路が確保されることにより水栓本体１からの水が分岐部材６を経て他機器へ供給されることになる。
【００２０】
図４は本件発明の湯水混合水栓の縦断面図及びＡ−Ａ断面図である。
図４（ａ）に示す如く、水栓本体１は、円筒形状の本体部１３を介してキッチンの取付面２２に立設させて固定されている。固定方法としては、取付面２２の開口部に取付けユニット３２を取付け、取付面２２上方からボルトを介して締め付けることにより締結金具２４が固定軸２３に沿って上昇し、取付面２２の下端に当接する公知の技術を採用している。その後、水栓本体１を取付けユニット３２上に載置し、水栓本体１が前後方向へ傾斜することを防止するため、めねじ２５を用いて固定することにより水栓本体１の取付面２２への固定が完了することになる。
さらに、水栓本体１のカバー８前面には止めねじ２５を隠すためにキャップ９が用いられている。
【００２１】
取付面２２下には、図示しない水側配管及び湯側配管が各々上方に向けて配設されており、水側配管は水側流路２７、湯側配管は湯側流路２８へ連通連接されている。さらに、各接続部はシール材であるＯリングが取り付けられており、各配管と流路との水密性が図られる構造となっている。
また、両流路２７、２８は、本体部１３上部に取り付けられたカートリッジ２９の図示しない接続口に連通されており、それぞれの流路２７、２８から流入する水と湯を混合室内で適宜混合し、図示しない湯水混合流路から吐水する。カートリッジ２９には、カートリッジ２９内の可動ディスクを駆動する操作軸３０が設けられており、この操作軸にハンドル５が取り付けられている。このハンドル５を傾動或いは回動操作することにより吐水口７からの吐止水操作及び吐水量調節及び温度調節を行うようになっている。また、水栓本体１の上部にはカートリッジ２９を被覆するカートリッジ押えカバー４が螺着されており、このカートリッジ押えカバー４によりカートリッジ２９が水栓本体１に固定されている。
【００２２】
図４（ｂ）は図４（ａ）のＡ−Ａ断面図である。説明し易くするため、断面図は時計周りに９０°回転させた図としている。図２と共通する部分については、同符号を付して説明する。
本体部１３内には水側流路２７、湯側流路２８が配設されている。図２に示した単水栓の場合と異なる部分は本体部１３内に流路が２つあることである。従って、分岐流路２６は他の流路を避けるよう構成されることになる。この実施例においては、他機器として食器洗浄器を接続する例として湯側流路２８から分岐口１７を構成しているため、他方の分岐口１７は水側流路を避けるよう対向する位置に分岐口１７を構成している。
勿論、アルカリイオン生成器に接続する場合は、水側流路２７から分岐させることになるが、その場合、湯側流路２８を避けるよう構成すれば良いことになる。
取付け方法については、図２で説明したものと同様であるため、ここでの説明は省略する。
【００２３】
図５は本件発明の他の実施形態である湯水混合水栓の縦断面図及びＢ−Ｂ断面図である。説明し易くするため、断面図は時計周りに９０°回転させた点は図４の場合と同様である。
図４に示す水栓本体１と異なる点は分岐継手１５がスパウト２の上部に配設していることである。つまり、本体部１３には水側流路２７と湯側流路２８を開設すると共に上部にはカートリッジ２９を配置する凹部３１を配置している。他の構成部分については図４で示したものと同様であるので、説明を省略する。
【００２４】
このようにスパウト２の上部に分岐継手１５を配設することで、図示しない他機器と接続部分が上方に位置する場合は、分岐継手を上方に位置させることでキッチン空間をすっきりと、且つ他機器の接続ホースを無理なく水栓本体１に接続することができることになる。
【図面の簡単な説明】
【００２５】
【図１】本件発明の一実施の形態である外観斜視図。
【図２】本件発明の一実施の形態である単水栓の場合の分岐継手部分の横断面図。
【図３】本件発明の分岐部材の縦断面図。
【図４】本件発明の湯水混合水栓の縦断面図及びＡ−Ａ断面図。
【図５】本件発明の他の実施形態である湯水混合水栓の縦断面図及びＢ−Ｂ断面図。
【図６】従来技術を示す要部断面図である。
【符号の説明】
【００２６】
１    水栓本体
２    スパウト
３    回動部材
４    カートリッジ押えカバー
５    ハンドル
６    分岐部材
７    吐水口
８    カバー
９    キャップ
１０  開閉ハンドル
１１  カプラーユニット
１２  止水弁
１３  本体部
１４  湯水流路
１５  分岐継手
１６  塞蓋
【図１】
2005133451.tif 000003
【図２】
2005133451.tif 000004
【図３】
2005133451.tif 000005
【図４】
2005133451.tif 000006
【図５】
2005133451.tif 000007
【図６】
2005133451.tif 000008